(57)【要約】【課題】  物品保護容器内で物品を保持し、外部からの衝撃による破損を確実に防止するとともに、物品の保持や取り出しを容易に行える物品保持用インナーを得る。【解決手段】  物品を収容する物品保護容器内に装着され、物品保護容器内で物品を安全に保持する物品保持用インナー１であって、弾性素材で形成し、上部を開口し内部に物品を収容して保持する容器状の保持部２を有し、保持部２の周壁３の弾性変形を利用した開口部４の拡径・縮径により、保持部２での物品の保持と保持部２からの物品の離脱を可能とし、更に、保持部２の周壁３には、周壁３の一部を保持部２の開口端縁７から底面８に渡り外側に向かって湾曲する一対の湾曲部９を対向するように形成した。【選択図】  図２
2019127314.tif 000002
【特許請求の範囲】
【請求項１】
物品を収容する物品保護容器内に装着され、物品保護容器内で物品を安全に保持する物品保持用インナーであって、
弾性素材で形成され、上部を開口し内部に物品を収容して保持する容器状の保持部を有し、前記保持部の周壁の弾性変形を利用した開口部の拡径・縮径により、前記保持部での物品の保持と前記保持部からの物品の離脱が可能となっており、更に、前記保持部の前記周壁には、前記周壁の一部を前記保持部の開口端縁から底面に渡り外側に向かって湾曲する一対の湾曲部が対向するように形成されていることを特徴とする物品保持用インナー。
【請求項２】
前記保持部の前記周壁の内面に、前記周壁の弾性変形を利用して前記保持部に収容された物品の上面に係脱可能とした係止突部が設けられていることを特徴とする請求項１に記載の物品保持用インナー。
【発明の詳細な説明】
【技術分野】
【０００１】
本発明は、物品を収容する物品保護容器内に装着され、物品保護容器内で物品を安全に保持する物品保持用インナーに関する。
【背景技術】
【０００２】
衝撃により壊れやすい物品を容器に収容して保管や輸送する場合、外部からの衝撃による物品の破損を防止する手段として物品保持用インナーが多く使用されている。物品保持用インナーとして、スポンジ、不織布、気泡シート等の緩衝材が知られている。
また、容器に収容した物品を外部からの衝撃から護り、その破損を防止する手段として、包装容器と、物品を包装容器内に固定する物品保持用インナーとなる固定用フィルムとからなり、包装容器は容器本体と蓋材で構成されており、そして、固定用フィルムで物品を被覆して蓋材の内面に密着し、蓋材の内面に密着した物品と容器本体の側面及び底面との間に隙間を有するようにした緩衝性包装体が開示されている（例えば、特許文献１参照。）。
【先行技術文献】
【特許文献】
【０００３】
【特許文献１】特開２０１７−１０５４８６号公報
【発明の概要】
【発明が解決しようとする課題】
【０００４】
しかし、物品保持用インナーが、スポンジ、不織布、気泡シート等の緩衝材である場合、全ての容器内での物品の保持に均一性が保てないおそれがあり、また、物品保持用インナーに物品を保持させ、また、物品保持用インナーから物品を取り出す作業が面倒な場合があるといった問題がある。
また、特許文献１に記載された緩衝性包装体では、包装容器と、物品を包装容器内に固定する物品保持用インナーとなる固定用フィルムとからなり、包装容器は容器本体と蓋材で構成されており、そして、物品を固定用フィルムで被覆し、蓋材の内面に密着させて保持するため、固定用フィルムで物品を保持する作業が面倒であり、また、保持されている物品の取り出しにあっても、蓋材の内面から固定用フィルムを剥がすといった面倒な作業が必要となるといった問題がある。また、物品は固定用フィルムにより蓋材の内面に密着させて保持されているので、蓋材への衝撃には対応できないといった問題がある。
【０００５】
本発明は、物品保護容器内で物品を保持し、外部からの衝撃による破損を確実に防止するとともに、物品の保持や取り出しを容易に行える物品保持用インナーを提供することを目的とする。
【課題を解決するための手段】
【０００６】
上記の目的を達成するために、請求項１に記載の発明は、物品を収容する物品保護容器内に装着され、物品保護容器内で物品を安全に保持する物品保持用インナーであって、弾性素材で形成され、上部を開口し内部に物品を収容して保持する容器状の保持部を有し、前記保持部の周壁の弾性変形を利用した開口部の拡径・縮径により、前記保持部での物品の保持と前記保持部からの物品の離脱が可能となっており、更に、前記保持部の前記周壁には、前記周壁の一部を前記保持部の開口端縁から底面に渡り外側に向かって湾曲する一対の湾曲部が対向するように形成されていることを特徴とする。
【０００７】
請求項１に記載の発明によれば、物品保護容器内に装着されている物品保持用インナーの保持部に物品を収容することにより、物品と物品保護容器とが直接接触せず、そして、物品保持用インナーは弾性素材で形成されているので、物品保持用インナーの弾性が衝撃を緩衝し、衝撃による物品の破損を防止することができる。
また、物品保持用インナーの保持部へ収容される物品は、前記保持部の周壁の弾性変形を利用した開口部の拡径・縮径により、前記保持部での物品の保持と前記保持部からの物品の離脱が可能となっているので、前記保持部内に物品を押し込むといった簡単な作業により、前記保持部内に物品を収容し保持することができる。また、前記保持部内に保持されている物品を取り出す場合は、物品を引き上げることにより前記保持部から取り出すことができる。
前記保持部内からの物品の取り出しに際しては、前記保持部の前記周壁に形成されている一対の前記湾曲部内に指を入れることにより前記保持部内に収容されている物品の両側を摘まむことができるので、前記保持部内から物品を容易に取り出すことができる。
【０００８】
請求項２に記載の発明は、請求項１に記載の、前記保持部の前記周壁の内面に、前記周壁の弾性変形を利用して前記保持部に収容された物品の上面に係脱可能とした係止突部が設けられていることを特徴とする。
【０００９】
請求項２に記載の発明によれば、前記保持部内への物品の押し込みにより押し広げられた前記保持部の前記周壁が、物品の押し込み後に復元したとき、前記保持部の前記周壁の内面に設けられている前記係止突部が前記保持部に収容された物品の上面に係止するので、前記保持部内に収容された物品を一層確実に保持することができ、外部から受ける衝撃による物品の破損を一層確実に防止することができる。
【発明の効果】
【００１０】
本発明に係る物品保持用インナーによれば、物品保護容器内で物品を保持し、外部からの衝撃による破損を確実に防止するとともに、物品の保持や取り出しを容易に行うことができる。
【図面の簡単な説明】
【００１１】
【図１】本発明に係る物品保持用インナーの実施の形態の一例を示す平面図である。
【図２】図１の一部切り欠き正面図である。
【図３】図１の側面図である。
【図４】図１のＡ−Ａ線断面図である。
【図５】物品を保持した物品保持用インナーを示す平面図である。
【図６】図５のＢ−Ｂ線断面図である。
【図７】本例の物品保持用インナーを装着する物品保護容器の一例を示す一部切り欠き平面図である。
【図８】物品保護容器の容器本体内に物品保持用インナーを装着した状態を示す平面図である。
【図９】容器本体内に装着した物品保持用インナーに物品を保持させた状態を示す物品保護容器の断面図である。
【図１０】図９に示した物品保護容器を真空包装用のポーチ内に挿入する状態を示す説明図である。
【図１１】図９に示した物品保護容器をポーチで真空包装してなる真空包装体を示す概略断面説明図である。
【発明を実施するための形態】
【００１２】
以下、本発明に係る物品保持用インナーの実施の形態の一例を図面を参照して詳細に説明する。
図１乃至図９は、本発明に係る物品保持用インナーの実施の形態の一例を示すものであり、図１は本例の物品保持用インナーの平面図、図２は図１の正面図、図３は図１の側面図、図４は図１のＡ−Ａ線断面図、図５は物品を保持した物品保持用インナーを示す平面図、図６は図５のＢ−Ｂ線断面図、図７は本例の物品保持用インナーを装着する物品保護容器の一例を示す一部切り欠き平面図、図８は物品保護容器の容器本体内に物品保持用インナーを装着した状態を示す平面図、図９は容器本体内に装着した物品保持用インナーに物品を保持させた状態を示す物品保護容器の断面図である。
【００１３】
本発明は、物品Ｍを収容する物品保護容器１０１内に装着され、物品保護容器１０１内で物品Ｍを安全に保持する物品保持用インナー１であって、弾性素材で形成され、上部を開口し内部に物品Ｍを収容して保持する容器状の保持部２を有している。保持部２の形状にあっては物品Ｍの外形に対応した形状とすることが好ましい。本例では、保持部２は矩形状に形成されているが、これに限定されない。
【００１４】
保持部２は、周壁３の弾性変形を利用した開口部４の拡径・縮径により、保持部２での物品Ｍの保持と保持部２からの物品Ｍの離脱が可能となっている。
本例では、開口部４の内径が物品Ｍの外径より僅かに小さく形成されている。そして、周壁３は内側に向かって傾斜しており、周壁３により保持部２内に収容した物品Ｍを上側から押さえるようになっている。
【００１５】
矩形状に形成されている保持部２の角部には外側に膨らむ膨出部５が形成されており、保持部２の周壁３に外側に向けて力を加えたとき膨出部５が伸びて周壁３が広がり、保持部２の開口部４が拡径して保持部２内への物品Ｍの出し入れを容易にするとともに、広がった周壁３の復元力により保持部２の開口部４が縮径して保持部２内の物品Ｍを押さえ、保持部２内に保持するようになっている。本例では、保持部２の周壁３の内面に、周壁３の弾性変形を利用して保持部２に収容された物品Ｍの上面に係脱可能とした係止突部６が設けられている。
【００１６】
また、保持部２の周壁３には、周壁３の一部を保持部２の開口端縁７から底面８に渡り外側に向かって湾曲する一対の湾曲部９が対向するように形成されている。本例では、一方の対向する周壁３に湾曲部９が形成されている。
更に、本例では、保持部２の開口端縁７の外周に鍔部１０が形成されている。
【００１７】
物品保持用インナー１を形成する弾性素材は、特に限定されないが、真空包装される物品Ｍの保持に使用される場合は、アウトガスが発生しないことを要し、ポリプロピレン、ポリエチレン、ポリプロピレン−ポリエチレン複合体、ＰＥＴを代表とするポリエステル、環状ポリオレフィン、ポリイミド、ポリアミド、ＰＴＦＥ、ポリカーボネート、液晶ポリマー、ＰＥＥＫなどの合成樹脂が用いられる。また、これらの積層複合素材が用いられる場合もある。
また、物品保持用インナー１の製造にあっては、その一例として真空成形により製造することができる。
【００１８】
このように構成された物品保持用インナー１は、物品保護容器１０１内に装着される。図７乃至図９は、本例の物品保持用インナー１を装着する物品保護容器１０１の一例を示すものである。物品保護容器１０１は、容器本体１０２と蓋体１０３からなり、物品保持用インナー１は容器本体１０２から容易に抜け出ないように装着されている。
【００１９】
詳細には、容器本体１０２の開口端部は内巻きカール部１０４となっており、容器本体１０２に装着した物品保持用インナー１の開口端縁７の外周に形成されている鍔部１０の一部が内巻きカール部１０４に内側から係止し、容器本体１０２から容易に抜け出ないようになっている。本例では、物品保持用インナー１の保持部２の周壁３に形成されている湾曲部９側の鍔部１０が容器本体１０２の内巻きカール部１０４に内側から係止するようになっている。このように容器本体１０２に装着される物品保持用インナー１は、弾性変形により容器本体１０２内への装着・取り出しを可能にしている。
【００２０】
図７乃至図９に示す物品保護容器１０１は、物品Ｍが、例えば生体試料、化学薬品、治療薬、検査試験を含む試薬類、電子部品類、微細加工デバイス類など、真空状態での保管を要する物品である場合に使用する物品保護容器であり、蓋体１０３の天面１０５に通気孔１０６が形成されている。
【００２１】
物品Ｍを収容した物品保護容器１０１は、図１０、図１１に示すように、物品保護容器１０１と一体となって真空包装体Ｘを構成するポーチ１０７内に入れられ真空包装される。ポーチ１０７は、アルミニウムフィルムを外層とし熱可塑性合成樹脂フィルムを内層とする複合材料により形成されている。熱可塑性合成樹脂フィルムとしては、ポリエチレンフィルムやポリプロピレンフィルム、ＰＥＴに代表されるポリエステルフィルム等が用いられる。また、ポーチ１０７は、アルミニウムフィルムを中間層とし、その内層として上述の熱可塑性合成樹脂フィルム、その外層としてポリエチレンフィルムやポリプロピレンフィルム、ナイロンフィルム、ＰＥＴに代表されるポリエステルフィルム等よりなる複合材料により形成される場合もある。
【００２２】
ポーチ１０７による物品保護容器１０１の真空包装は、ポーチ１０７内に物品Ｍを収容した物品保護容器１０１を入れ、ポーチ１０７内を排気して真空にする。ポーチ１０７内の排気の過程で、物品保護容器１０１内の空気が蓋体１０３の天面１０５に形成されている通気孔１０６から排気されて真空となる。ポーチ１０７内を真空にしたら、その開口部を溶着して密封することにより、ポーチ１０７内とともに物品保護容器１０１内も真空状態に保持される。
なお本例では、真空状態での保管を要する物品である場合に使用する物品保護容器を示したが、大気圧状態または加圧状態での保護容器としても使用できる。即ち、物品保持用インナー１、物品保護容器１０１、ポーチ１０７の組み合わせによって上記環境での物品保持も可能である。
【００２３】
以上のように構成された物品保持用インナー１によれば、物品保護容器１０１内に装着されている物品保持用インナー１の保持部２に物品Ｍを収容することにより、物品Ｍは物品保護容器１０１と直接に接触することがなく、そして、物品保護容器１０１に外部から衝撃が加わった場合、物品保護容器１０１内で物品を保持している物品保持用インナー１は弾性素材で形成されているので、物品保持用インナー１の弾性が衝撃を緩衝し、衝撃による物品Ｍの破損を防止することができる。
【００２４】
また、物品保持用インナー１の保持部２へ収容される物品Ｍは、保持部２の周壁３の弾性変形の利用により保持部２での物品Ｍの保持と保持部２からの物品Ｍの離脱が可能となっているので、物品保持用インナー１に物品を保持させる場合、保持部２内に開口部４から物品Ｍを押し込むことにより、保持部２の周壁３が押し広げられ、保持部２内に物品Ｍを収容することができ、保持部２内に収容された物品Ｍは押し広げられた周壁３の復元力により前記保持部内に保持することができる。
【００２５】
また、保持部２内に保持されている物品Ｍを取り出す場合は、物品Ｍを引き上げることにより、保持部２の周壁３が押し広げられ、保持部２内に収容されている物品Ｍを保持部２から取り出すことができる。
そして、保持部２内からの物品の取り出しに際しては、保持部２の周壁３に形成されている一対の湾曲部９内に指を入れることにより保持部２内に収容されている物品Ｍの両側を摘まむことができるので、保持部２内から物品Ｍを容易に取り出すことができる。
【００２６】
また、本例では、保持部２の周壁３の内面に、周壁３の弾性変形を利用して保持部２に収容された物品Ｍの上面に係脱可能とした係止突部６が設けられているので、物品保持用インナーに物品を保持させるために、前記保持部２内への物品Ｍの押し込みにより押し広げられた保持部２の周壁３が、物品Ｍの押し込み後に復元したとき、周壁３の内面に設けられている係止突部６が保持部２に収容された物品Ｍの上面に係止することから、保持部２内に収容された物品Ｍを一層確実に保持することができ、外部から受ける衝撃による物品Ｍの破損を一層確実に防止することができる。
【符号の説明】
【００２７】
１  物品保持用インナー
２  保持部
３  周壁
３ａ  対向する周壁
４  開口部
５  膨出部
６  係止突部
７  開口端縁
８  底面
９  湾曲部
１０  鍔部
１０１  物品保護容器
１０２  容器本体
１０３  蓋体
１０４  内巻きカール部
１０５  天面
１０６  通気孔
１０７  ポーチ
Ｍ  物品
Ｘ  真空包装体
【図１】
2019127314.tif 000003
【図２】
2019127314.tif 000004
【図３】
2019127314.tif 000005
【図４】
2019127314.tif 000006
【図５】
2019127314.tif 000007
【図６】
2019127314.tif 000008
【図７】
2019127314.tif 000009
【図８】
2019127314.tif 000010
【図９】
2019127314.tif 000011
【図１０】
2019127314.tif 000012
【図１１】
2019127314.tif 000013